【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
通信装置であって、
パイロット信号を受信する受信機と、
受信パイロット信号の帯域幅の一部を含む対応する通過帯域をもつ第１のフィルターと、
対応する通過帯域をもつ第２のフィルターと、
第１および第２のフィルターからの出力に部分的に基づいて、大きさ値を推定するように構成された大きさ推定器と、
推定大きさ値を比較するように構成された信号比較器と、
信号比較器の出力の関数として、部分的に変更するように構成された帯域幅をもつパイロット信号フィルターとを含む通信装置。
【請求項２】
第１のフィルターが、低域通過フィルターである請求項１記載の通信装置。
【請求項３】
第２のフィルターが、第１のフィルターの通過帯域を除いた通過帯域をもつ帯域通過フィルターである請求項１記載の通信装置。
【請求項４】
第２のフィルターが、第１のフィルターの通過帯域に実質的にオーバーラップする通過帯域をもつ低域通過フィルターである請求項２記載の通信装置。
【請求項５】
第１および第２のフィルターの各々が、パイロット信号源を、異なる周波数の対応する信号と相関させる請求項１記載の通信装置。
【請求項６】
受信パイロット信号の帯域幅を除いた通過帯域をもつ雑音フィルターをさらに含む請求項１記載の通信装置。
【請求項７】
大きさ推定器が、推定の雑音の大きさを除くように調節された第１および第２の信号の大きさを推定するように構成された請求項６記載の通信装置。
【請求項８】
大きさ推定器が、第１および第２のフィルターから出力された電力の値を判断する請求項１記載の通信装置。
【請求項９】
大きさ推定器が、第１および第２のフィルターの各々の出力から雑音電力推定を低減した推定電力を反映した値を判断する請求項８記載の通信装置。
【請求項１０】
雑音電力推定が、雑音フィルターの出力の電力推定に少なくとも部分的に基づいている請求項９記載の通信装置。
【請求項１１】
フィルターの帯域幅を判断する方法であって、
パイロット信号を受信することと、
複数の異なる周波数上の受信パイロット信号をフィルターにかけ、対応する複数のフィルターにかけられた異なる信号を生成することと、
少なくとも２つのフィルターにかけられた信号の大きさを推定することと、
フィルターにかけられた信号の少なくともいくつかの大きさを比較して、受信パイロット信号の帯域幅を推定することと、
大きさの比較に部分的に基づいて、パイロット信号フィルターの帯域幅を動的に変更することとを含む方法。
【請求項１２】
雑音の大きさを推定することをさらに含む請求項１１記載の方法。
【請求項１３】
少なくとも２つのフィルターにかけられた信号の大きさを推定することが、大きさから、雑音の大きさに比例する値を低減することを含む請求項１２記載の方法。
【請求項１４】
受信パイロット信号をフィルターにかける動作が、低域通過フィルターおよび帯域通過フィルターにかけることを含む請求項１３記載の方法。
【請求項１５】
受信パイロット信号をフィルターにかける動作が、受信パイロット信号を、各々が異なる周波数である複数の信号と相関させることを含む請求項１３記載の方法。
【請求項１６】
フィルターの帯域幅を判断する方法であって、
パイロット信号を受信することと、
受信パイロット信号の帯域幅を推定することと、
推定帯域幅に少なくとも部分的に基づいて、パイロット信号フィルターの帯域幅を変更することとを含み、
受信パイロット信号の帯域幅を推定することが、
複数のフィルターを使用して、受信パイロット信号をフィルターにかけることと、
複数のフィルターの各々から出力された信号の大きさを判断することと、
複数のフィルターから出力された信号の大きさを比較することとを含む方法。
【請求項１７】
受信パイロット信号をフィルターにかけることが、
第１のフィルターにおいて、受信パイロット信号の第１の周波数帯域をフィルターにかけることと、
第２のフィルターにおいて、第１の周波数帯域とは異なる、受信パイロット信号の第２の周波数帯域をフィルターにかけることとを含む請求項１６記載の方法。
【請求項１８】
複数のフィルターの通過帯域がオーバーラップしていない請求項１６記載の方法。
【請求項１９】
複数のフィルターの少なくとも２つの通過帯域がオーバーラップしている請求項１６記載の方法。
【請求項２０】
受信パイロット信号の帯域幅以外の帯域幅の雑音信号をフィルターにかけることをさらに含む請求項１６記載の方法。
【請求項２１】
フィルターの帯域幅を判断する方法であって、
パイロット信号を受信することと、
受信パイロット信号の帯域幅を推定することと、
推定帯域幅に少なくとも部分的に基づいて、パイロット信号フィルターの帯域幅を変更することとを含み、
受信パイロット信号の帯域幅を推定することが、
受信パイロット信号を複数の信号と相関させて、複数のフィルターにかけられた信号を生成することと、
複数のフィルターにかけられた信号の中の少なくとも２つの大きさを判断することと、
複数のフィルターにかけられた信号の大きさを比較することとを含む方法。
【請求項２２】
受信パイロット信号を複数の信号と相関させることが、受信パイロット信号を、受信パイロット信号の帯域幅よりも大きい周波数をもつ信号と相関させて、雑音信号を生成することを含む請求項２１記載の方法。
【請求項２３】
複数のフィルターにかけられた信号の中の少なくとも２つの大きさを判断することが、複数のフィルターにかけられた信号の大きさから、雑音信号の大きさに比例する値を低減することを含む請求項２２記載の方法。
【請求項２４】
パイロット信号フィルターの帯域幅を変更することが、パイロット信号のフィルターのフィルター係数値を変更することを含む請求項１６記載の方法。
【請求項２５】
パイロット信号フィルターの帯域幅を変更することが、パイロットフィルターの帯域幅を、受信パイロット信号フレームごとに１回調節することを含む請求項１６記載の方法。
【請求項２６】
パイロット信号を受信する受信機と、
受信パイロット信号の帯域幅を推定する手段と、
推定帯域幅に少なくとも部分的に基づいて、パイロット信号の帯域幅を変更する手段とを含む通信装置であって、
受信パイロット信号の帯域幅を推定する手段が、
複数のフィルターを使用して、受信パイロット信号をフィルターにかける手段と、
複数のフィルターの各々から出力された信号の大きさを判断する手段と、
複数のフィルターから出力された信号の大きさを比較する手段とを含む通信装置。
【請求項２７】
フィルターの帯域幅を判断するために組入れられたコンピュータ読み出し可能プログラムコード手段をもつコンピュータ使用可能媒体を含む製品であって、前記製品内のコンピュータ読み出し可能プログラムコード手段が、
受信パイロット信号の帯域幅を推定するコンピュータ読み出し可能プログラムコード手段と、
推定帯域幅に少なくとも部分的に基づいて、パイロット信号フィルターの帯域幅を変更するコンピュータ読み出し可能プログラムコード手段とを含み、受信パイロット信号の帯域幅を推定することが、
複数のフィルターを使用して、受信パイロット信号をフィルターにかけることと、
複数のフィルターの各々から出力された信号の大きさを判断することと、
複数のフィルターから出力された信号の大きさを比較することとを含む製品。
【請求項２８】
フィルターの帯域幅を判断する方法を行うための機械によって実行可能な命令のプログラムを具体的に具現する、機械によって読み出し可能なプログラム記憶装置であって、前記方法が、
パイロット信号を受信することと、
受信パイロット信号の帯域幅を推定することと、
推定帯域幅に少なくとも部分的に基づいて、パイロット信号フィルターの帯域幅を変更することとを含み、
受信パイロット信号の帯域幅を推定することが、
複数のフィルターを使用して、受信パイロット信号をフィルターにかけることと、
複数のフィルターの各々から出力された信号の大きさを判断することと、
複数のフィルターから出力された信号の大きさを比較することとを含むプログラム記憶装置。
【請求項２９】
フィルターの帯域幅を判断するために組入れられたコンピュータ読み出し可能プログラムコード手段をもつコンピュータ使用可能媒体を含む製品であって、前記製品内のコンピュータ読み出し可能プログラムコード手段が、
受信パイロット信号の帯域幅を推定するコンピュータ読み出し可能プログラムコード手段と、
推定帯域幅に少なくとも部分的に基づいて、パイロット信号フィルターの帯域幅を変更するコンピュータ読み出し可能プログラムコード手段とを含み、受信パイロット信号の帯域幅を推定することが、
受信パイロット信号を複数の信号と相関させて、複数のフィルターにかけられた信号を生成することと、
複数のフィルターにかけられた信号の中の少なくとも２つの大きさを判断することと、
複数のフィルターにかけられた信号の大きさを比較することとを含む製品。
【請求項３０】
フィルターの帯域幅を判断する方法を行うための機械によって実行可能な命令のプログラムを具体的に具現する、機械によって読み出し可能なプログラム記憶装置であって、前記方法が、
パイロット信号を受信することと、
受信パイロット信号の帯域幅を推定することと、
推定帯域幅に少なくとも部分的に基づいて、パイロット信号フィルターの帯域幅を変更することとを含み、
受信パイロット信号の帯域幅を推定することが、
受信パイロット信号を複数の信号と相関させて、複数のフィルターにかけられた信号を生成することと、
複数のフィルターにかけられた信号の中の少なくとも２つの大きさを判断することと、
複数のフィルターにかけられた信号の大きさを比較することとを含むプログラム記憶装置。